(57)【要約】【課題】エギングと呼ばれる釣り手法において、釣り対象を惹き付けやすい色彩の選定を目的として、外装部分が交換自在となっている「エギ」と呼ばれるタイプのルアーを提供する。【解決手段】釣糸を係止するための釣糸係止部と、釣り対象を引っ掛けるための掛針部と、前記ルアー本体へ、該ルアー本体に設けた接続部を介して着脱自在に接続され、ルアーの外殻を形成する疑似餌体を備えたルアーにより、該疑似餌体の色彩を自由に設定できるため、複雑な工作を行ったり、多数のルアーを用意したりすることなく、着脱自在の疑似餌体だけを用意すれば、天候や時刻、海の濁り、釣り対象の活性度合いに応じて疑似餌体を交換し、最適な色彩のルアーを容易に選択することが出来る。また、この疑似餌体としてペットボトルの蓋を用いれば、不要となったペットボトルの蓋の様々なデザイン、色彩を生かし、ルアーの選択肢を広げることが出来る。 【選択図】図１
2015084670.tif 000002
【特許請求の範囲】
【請求項１】
ルアーフィッシングに用いるルアーであって、
ルアー本体と、
該ルアー本体に固定され、釣糸を係止するための釣糸係止部と、
釣り対象を引っ掛けるための掛針部と、
前記ルアー本体へ、該ルアー本体に設けた本体接続部を介して着脱自在に接続される被接続部を具備するルアーの外殻を形成する疑似餌体と、を有することを特徴とするルアー。
【請求項２】
前記本体接続部が雄ねじで、前記被接続部が雌ねじであることを特徴とする請求項１に記載のルアー。
【請求項３】
前記ルアー本体が中空構造で、且つ、該中空構造に気密性を確保できるような前記本体接続部と被接続部であることを特徴とする請求項１又は請求項２に記載のルアー。
【請求項４】
前記疑似餌体がペットボトルの蓋であることを特徴とする請求項１乃至３のいずれかに記載のルアー。
【請求項５】
前記ルアー本体がステンレス製であることを特徴とする請求項１乃至４のいずれかに記載のルアー。
【発明の詳細な説明】
【技術分野】
【０００１】
本発明は、ルアーフィッシングに用いるルアーに関する。本発明に係るルアーには、イカ、タコを釣るために用いられるエギが含まれる。
【背景技術】
【０００２】
従来のルアー、特に、一般に「エギ」と呼ばれるルアーは、木材、あるいは硬質の樹脂によって構成される本体の外周に、布などが巻回されているものが一般的である。エギ本体の一端には、釣糸を係止するための釣糸係止部が、他端には釣り対象を直接引っ掛けるための掛針部が設けられている。なお、掛針部の形状は、釣り対象によって異なる。
【０００３】
釣人は前記エギを水中へ投じ、釣り対象に応じた挙動、例えば釣り対象がイカであれば、釣り竿を振り上げてエギを水中で大きく泳動させ、釣り対象がタコであれば、エギを着底させて引きずるような泳動をさせる。一般的にエギングと呼ばれるこれらの泳動によって、釣り対象をエギへおびき寄せ、掛針部へ引っ掛けることで釣り上げる。
【先行技術文献】
【特許文献】
【０００４】
【特許文献１】特開２００３−２５９７６８号公報
【発明の開示】
【発明が解決しようとする課題】
【０００５】
エギングにおいて、エギの選定は重要である。特にエギの色彩は、釣り対象の興味を引くために、天候や時刻、海の濁り、釣り対象の活性度合いに応じて、最適な選択を求められる。
【０００６】
文献１に代表されるような従来のエギは、作成段階でエギ本体の外装に巻回される表布によって色彩が決定されている。色彩を変更したい場合、エギの表布を交換しなければならないが、そのためにはエギを破壊して表布を剥がし、新しい表布を貼り付けてエギを再組立する作業が必要となり、釣り場におけるエギの色彩変更は現実的でない。よって、エギの色彩を選択するためには、異なる色彩の表布を使ったエギを、必要個数分だけ別途用意しなければならなかった。
【０００７】
本発明の課題は、エギングと呼ばれる釣り手法において、釣り対象を惹き付けやすい色彩の選定を目的として、外装部分が交換自在となっている「エギ」と呼ばれるタイプのルアーを提供することにある。
【課題を解決するための手段】
【０００８】
本願請求項１のルアーは、ルアーフィッシングに用いるルアーであって、ルアー本体と、該ルアー本体に固定され、釣糸を係止するための釣糸係止部と、釣り対象を引っ掛けるための掛針部と、前記ルアー本体へ、該ルアー本体に設けた本体接続部を介して着脱自在に接続される被接続部を具備するルアーの外殻を形成する疑似餌体であることにある。
【０００９】
請求項２のルアーは、本体接続部が雄ねじで、被接続部が雌ねじであることにある。
【００１０】
請求項３のルアーは、前記ルアー本体が中空構造で、且つ、該中空構造に気密性を確保できるような前記本体接続部と被接続部であることにある。
【００１１】
請求項４のルアーは、前記疑似餌体がペットボトルの蓋であることにある。
【００１２】
請求項５のルアーは、前記ルアー本体がステンレス製であることにある。
【発明の効果】
【００１３】
本願請求項１のルアーによれば、疑似餌体はルアー本体の本体接続部と着脱自在の被接続部を備えているので、他の模様や形状を有する疑似餌体と交換して接続することが出来る。従って、複雑な工作を行ったり、多数のルアーを用意したりすることなく、着脱自在の疑似餌体だけを用意すれば、天候や時刻、海の濁り、釣り対象の活性度合いに応じて疑似餌体を交換し、最適な色彩のルアーを容易に選択することが出来る。
【００１４】
本願請求項２のルアーによれば、ルアー本体の本体接続部と疑似餌体の被接続部分にねじ構造を用いることにより、前記疑似餌体の着脱が容易でありながら、不意の脱落等に対して高い強度を持つ、堅牢で強固な接続を期待出来る。
【００１５】
本願請求項３のルアーによれば、ルアーのキャスト時に中空構造が水中で浮きとしての役割を果たし、前記ルアーの重心を下側へ寄せることで、水中における前記ルアーの姿勢を望ましい形、すなわち疑似餌体を上側に向け、釣り対象から常に見える姿勢で、底に沈めることが出来る。
【００１６】
本願請求項４のルアーによれば、前記ルアー本体へ着脱自在に接続する疑似餌体としてペットボトルの蓋を用いることにより、不要となったペットボトルの蓋の様々なデザイン、色彩を生かし、ルアーの選択肢を広げることが出来る。又、釣り対象とペットボトルの蓋のデザインの相性を考えながら釣りをする楽しみを得ることができる。
【００１７】
本願請求項５のルアーによれば、前記ルアー本体の構成材としてステンレスを用いることにより、他の金属素材、例えば鉛などと比較して、ルアーをキャストした際の海洋に対する環境負荷を低減することが出来る。又、ルアー本体を長持ちさせることができる。
【図面の簡単な説明】
【００１８】
【図１】本発明の第１実施形態に係るルアーの全体斜視図である。
【図２】本発明の第１実施形態に係るルアーから疑似餌体を取り外した状態を示す全体斜視図である。
【図３】本発明の第２実施形態に係るルアーから疑似餌体を取り外した状態を示す横断面図である。
【図４】本発明の第２実施形態に係るルアーを示す横断面図である。
【図５】本発明の実施形態に係るルアーの構成に、仕掛係止部を取り付けた全体斜視図である。
【図６】本発明の他の実施形態に係るルアーの全体斜視図である。
【発明を実施するための形態】
【００１９】
以下、本発明の実施形態について、図面を参照しつつ説明する。
【００２０】
まず、第１の実施形態について説明する。本発明の第１実施形態を採用したルアー１は、図１、図２に示すように、ルアー本体１に、釣糸係止部２、掛針部３、疑似餌体４を備える。
【００２１】
疑似餌体４とルアー本体１は、円柱形のルアー本体１１の外周囲に形成した雄ねじからなる本体接続部１２と、該本体接続部１２と螺合する雌ねじからなる、疑似餌体４の被接続部４１によって着脱自在に接続されている。図２は、疑似餌体４をルアー本体１１から取り外した状態を示す図で、疑似餌体４に覆われていた本体接続部１２を左上方から目視した図である。
【００２２】
前記ルアー本体１１は、キャスティングに耐えられる強度を持ち、水より比重が大きく、硬質な素材で構成されていればよく、好ましくは金属材料からなるもの、最も好ましくは錆なく無害で耐久性のあるステンレスが適している。
【００２３】
疑似餌体４は、キャスティングに耐えられる強度を持ち、硬質な素材で構成されていればよく、例えばステンレスなどの金属素材であってもよいし、プラスチックやポリエチレンテレフタラートなどの樹脂であってもよい。また、前記本体接続部１２と接続出来る被接続部４１によってルアー本体１１に接続されていれば、どのような材質、色彩や形状であってもよく、天候や時刻、海の濁り、釣り対象の活性度合いや好みに応じた最適な色彩や形状の加工を施されたものが選択出来るようにすればよい。この実施形態では、合成樹脂からなるペットボトルの蓋を用いた場合を示したが、この場合には、ペットボトルの内容物によって色々なデザインの蓋があるので、釣り対象の好みなどを探りながら取り替えて楽しみながら、魚釣りをすることができる。尚、疑似餌体はその他の材質や形状のものであってもよい。
【００２４】
前記本体接続部１２と疑似餌体４側の被接続部４１は、着脱自在で、かつ、ルアーフィッシングにおけるキャスティングや水中におけるエギング等においても接続を維持出来る強度であれば、どのような接続であってもよい。本実施形態においては、本体接続部１２が雄ねじであれば、被接続部４１はこれに螺合する雌ねじであるが、他の既知の接続構造を採用してもよい。また、本体接続部１２は、複数備えられ、これに接続する疑似餌体４も複数取り付けられてもよい。例えば、図６で示すように、ルアー本体１１の表裏双方に本体接続部１２を設けて、これらに対して個別に同じ又は異なる疑似餌体４を取り付ける構造になっていてもよい。
【００２５】
前記釣糸係止部２は、周知の織糸もしくは金属からなる線部材を加工し、一端をルアー本体１１に接続したものである。他端側へ釣糸を通し、ルアー本体１１に釣糸を繋ぎ留める。
【００２６】
また、前記釣糸係止部２は、キャスティング時に釣糸とルアー本体１１を繋ぎ留め、釣り対象を保持出来る強度があればよく、例えばステンレスなどの金属素材で構成され、釣糸係止部２とルアー本体１１は溶接によって接続されていてもよい。また、釣糸Ａとルアー本体１１を繋ぎ留められれば、どのような形状であってもよい。
【００２７】
前記掛針部３は、周知の金属からなる線部材を加工し、一端をルアー本体１１に接続したものである。他端側には、釣り対象に応じた加工を施す。
【００２８】
また、前記掛針部３は、釣り対象を保持出来る強度があればよく、例えばステンレスなどの金属素材で構成され、掛針部３とルアー本体１１は溶接によって互いに接続されていてもよい。また、図１に示す掛針はタコに対するエギングを想定した本数・形状であるが、掛針の本数は何本でもよく、形状は釣り対象に応じた形であってもよい。
【００２９】
このように構成されるルアー１は、以下のようにして用いられることになる。すなわち、釣人は、釣糸係止部２に釣糸Aを連結し、キャスティングによって、釣糸Aと接続されたルアー本体１１を水中へ投じ、釣り対象に応じたルアーフィッシングを行う。例えば、釣り対象がタコやイカであれば、それぞれの釣り対象に応じたエギングを行う。
【００３０】
水中へ投じられたルアー１は、接続されている疑似餌体４の色彩によって、釣り対象の注目をより多く集める。その結果、釣り対象がルアー１を捕食する機会を増やし、釣り上げる機会を向上させることが出来る。
【００３１】
続いて、第２の実施形態について、図3及び図４を参照しながら説明する。本発明の第２実施形態が前記第１実施形態と異なるところは、ルアー本体１１の表面に凹部１３を形成したことである。その他の構成は第１実施形態の図１及び図２と同じであり、同符号を付して説明を省略する。
【００３２】
本発明の第２実施形態は、ルアー本体１１の表面に凹部１３を形成しているので、接続部１２と疑似餌体４の接続部４１の両者が螺合した際、凹部１３によって形成される内部空間４２が、気密性を持つ。この内部空間４２は空気で満たされており、水よりも低い比重を持つため、キャスティングによってルアー本体１１が水中へ投じられた際、浮力によって疑似餌体４を常に上方とする姿勢を保つように機能する。従って、水中においてルアー１の疑似餌体４を上方に向けて水底に着地することになるので、釣り対象がルアー１を発見する機会が向上し、釣り成果の向上を図ることができる。
【００３３】
上記内部空間４２は、機密が保たれていれば、どのような形状であってもよく、空間の内部は、ルアー１の他の部分や水よりも低い比重であれば、空気でなくともよい。
【００３４】
上記本体接続部１２と疑似餌体側の接続部４１は、着脱自在で、一般的なルアーフィッシングにおいてルアー１が投入される深度の水圧に耐える気密性を有していれば、どのような構造であってもよい。それ以外の部分については、第１の実施形態と同様であるので説明を省略する。
【００３５】
続いて、第３の実施形態について図５を参考にしつつ説明する。本発明の第３実施形態が前記第１及び第２実施形態と異なるところは、ルアー本体１１に、仕掛係止部５を備えたことである。
【００３６】
仕掛係止部５は、一端をルアー本体１１に接続し、他端に釣糸Ａや別の仕掛などを繋ぎ留めることが出来る構造となっており、これによってルアー本体１１の釣り対象とは別の魚を釣るための仕掛を取り付けることが出来る。
【００３７】
仕掛係止部５に取り付ける仕掛は、一般的なルアーフィッシングと両立可能なものであればよく、例えばキスを釣り上げるための仕掛であってもよい。また、  前記仕掛係止部５は、キャスティング時に仕掛とルアー本体１１を繋ぎ留め、釣り対象を保持出来る強度があればよく、例えばステンレスなどの金属素材で構成され、釣糸係止部５とルアー本体１１は溶接によって接続されていてもよい。また、仕掛とルアー本体１１を繋ぎ留められれば、どのような形状であってもよい。
【００３８】
尚、以上の実施形態においては、本体接続部１２と被接続部４１として雄ねじと雌ねじを示したが、これに限定されることなく、例えば粘着力や引掛け部材などを利したものによって着脱するものであってもよい。
【産業上の利用可能性】
【００３９】
本発明に係るルアーは、ルアーフィッシングにおいてルアーの最適な色彩を容易に選択可能にする技術として有効に利用することが出来る。
【符号の説明】
【００４０】
１        ルアー
１１      ルアー本体
１２      本体接続部
１３      凹部
２        釣糸係止部
３        掛針部
４        疑似餌体
４１      被接続部
４２      内部空間
５        仕掛係止部
【図１】
2015084670.tif 000003
【図２】
2015084670.tif 000004
【図３】
2015084670.tif 000005
【図４】
2015084670.tif 000006
【図５】
2015084670.tif 000007
【図６】
2015084670.tif 000008